(57)【要約】      （修正有）【課題】用紙の他の部分から容易に切り取り可能で、かつ切り取った１ヶ月構成部分をファイルに容易に綴じ込んで保存することが可能なカレンダーを提供する。【解決手段】１ヶ月構成部分１２Ａ、１２Ｂを用紙の他の部分から切り取るための、ミシン目１６Ａが設けられるとともに、切り取った１ヶ月構成部分をファイルに容易に綴じ込んで保存するために便利なパンチ穴１８Ａ、１８Ｂをあらかじめ設けておくか、あるいは、パンチ穴を容易に設けることが可能なように、パンチ穴１８Ａ、１８Ｂの輪郭をミシン目で構成するか、さらにあるいはパンチ穴１８Ａ、１８Ｂをユーザがパンチを用いて設けるための位置の表示をあらかじめ用紙に印刷した。【選択図】図２
0003156539.tif 000002
【実用新案登録請求の範囲】
【請求項１】
1ヶ月分の表示が複数行で表示されて一まとまりとなっている部分が用紙に印刷されていて、前記用紙が複数枚重ねて綴じられているカレンダーにおいて、
前記一まとまりとなっている部分と前記用紙の他の部分の間にミシン目が入っていて、切り取り可能とされ、かつ、前記一まとまりとなっている部分の所定部分には、切り取った後に前記一まとまりとなっている部分を綴じ込むためのパンチ穴が設けられていることを特徴とするカレンダー。
【請求項２】
1ヶ月分の表示が複数行で表示されて一まとまりとなっている部分が用紙に印刷されていて、前記用紙が複数枚重ねて綴じられているカレンダーにおいて、
前記一まとまりとなっている部分と前記用紙の他の部分の間にミシン目が入っていて、切り取り可能とされ、かつ、前記一まとまりとなっている部分の所定部分には、切り取った後に前記一まとまりとなっている部分を綴じ込むためのパンチ穴の輪郭部にミシン目が設けられていることを特徴とするカレンダー。
【請求項３】
1ヶ月分の表示が複数行で表示されて一まとまりとなっている部分が用紙に印刷されていて、前記用紙が複数枚重ねて綴じられているカレンダーにおいて、
前記一まとまりとなっている部分と前記用紙の他の部分の間にミシン目が入っていて、切り取り可能とされ、かつ、前記一まとまりとなっている部分の所定部分には、切り取った後に前記一まとまりとなっている部分を綴じ込むための２つのパンチ穴の位置を示す表示及び／又は前記２つのパンチ穴の中間位置を示す表示が印刷されていることを特徴とするカレンダー。
【請求項４】
前記一まとまりとなっている部分がA４サイズであることを特徴とする請求項１から３のいずれか１つに記載のカレンダー。
【請求項５】
前記一まとまりとなっている部分が３個、順次前記ミシン目を介して連続して１枚の用紙に印刷され、３ヶ月分のカレンダーを表示することを特徴とする請求項１から４のいずれか１つに記載のカレンダー。
【請求項６】
前記用紙が５枚重ねて綴じられ、１枚目の用紙には、１月から３月が表示され、２枚目の用紙には、４月から６月が表示され、３枚目の用紙には、７月から９月が表示され、４枚目の用紙には、１０月から１２月が表示され、５枚目の用紙には、翌年の１月から３月が表示されていることを特徴とする請求項５に記載のカレンダー。
【考案の詳細な説明】
【技術分野】
【０００１】
本考案は、カレンダーに関し、特に１ヶ月分が一まとまりとなって用紙に印刷されていて、複数の用紙が重ねて綴じられて構成されたカレンダーの改良に関する。
【背景技術】
【０００２】
これまで様々なカレンダーが開発され、実用化されてきた。カレンダーを単に、日や曜日の確認ために用いるのみならず、その月の特定の日に行われる行事や、特定の日に行うべき行為の名称、あるいは歳時記を分かり易く表示したものも知られている。かかるカレンダーでは、その月の特定の日に行われる行事や、特定の日に行うべき行為の名称、あるいは歳時記を、カレンダーの最初又は最後の週の行の空きスペースを利用して印刷していた。
また、カレンダーには、そのユーザが必要に応じてメモを記入することがある。メモとしては、その日の行事や予定を書き込んだり、あるいは、その日に起きた事象を記録するものなどがある。なお、下記の特許文献１には、各日にちに対応した領域に行事を表示した構成が開示されている。なお、複数枚の用紙が重ねて綴じ込まれて構成されているカレンダーでは、その月が終了すると、その用紙全体あるいは、その用紙の該当月部分が切り取られ、通常そのまま廃棄されてしまう。
【先行技術文献】
【特許文献】
【０００３】
【特許文献１】特開２００６−１５０６２１号公報（段落００１５）
【考案の概要】
【考案が解決しようとする課題】
【０００４】
上記従来のカレンダーでは、切り取られた月の表示部分を示す用紙の全体あるいはその一部は、上記あらかじめ印刷されている行事や歳時記の他に、ユーザが記入した上記各種メモが重要な情報となることがある。すなわち、次年以降の計画策定などにこれらの情報が極めて役立つことがあるため、切り取った用紙全体、あるいは、その一部の１ヶ月分の表示が複数行で表示されて、一まとまりとなっている１ヶ月構成部分を保存することが便利である。また、業務日誌的にカレンダーに種々の仕事に関連する事項を記入しておいた場合、これを業務履歴として保存することは有益である。しかし、従来のカレンダーには、切り取ったかかる１ヶ月構成部分に該当する用紙あるいはその一部を綴じ込むためのパンチ穴はないし、またパンチ穴をあけるための位置表示もないので、ユーザがパンチ穴を設けるためには、その位置を把握するために手間がかかるという問題があった。
【０００５】
したがって、本考案は、用紙の他の部分から容易に切り取り可能で、かつ切り取った１ヶ月構成部分をファイルに容易に綴じ込んで保存することが可能なカレンダーを提供することを目的とする。
【課題を解決するための手段】
【０００６】
上記目的を達成するため、本考案では１ヶ月構成部分を用紙の他の部分から切り取るための、ミシン目が設けられるとともに、切り取った１ヶ月構成部分をファイルに容易に綴じ込んで保存するために便利なパンチ穴をあらかじめ設けておくか、あるいは、パンチ穴を設けるための位置の表示をあらかじめ用紙に印刷したものである。
【０００７】
すなわち本考案によれば、1ヶ月分の表示が複数行で表示されて一まとまりとなっている部分が用紙に印刷されていて、前記用紙が複数枚重ねて綴じられているカレンダーにおいて、
前記一まとまりとなっている部分と前記用紙の他の部分の間にミシン目が入っていて、切り取り可能とされ、かつ、前記一まとまりとなっている部分の所定部分には、切り取った後に前記一まとまりとなっている部分を綴じ込むためのパンチ穴が設けられていることを特徴とするカレンダーが提供される。
【０００８】
また本考案によれば、1ヶ月分の表示が複数行で表示されて一まとまりとなっている部分が用紙に印刷されていて、前記用紙が複数枚重ねて綴じられているカレンダーにおいて、
前記一まとまりとなっている部分と前記用紙の他の部分の間にミシン目が入っていて、切り取り可能とされ、かつ、前記一まとまりとなっている部分の所定部分には、切り取った後に前記一まとまりとなっている部分を綴じ込むためのパンチ穴の輪郭部にミシン目が設けられていることを特徴とするカレンダーが提供される。
【０００９】
また本考案によれば、1ヶ月分の表示が複数行で表示されて一まとまりとなっている部分が用紙に印刷されていて、前記用紙が複数枚重ねて綴じられているカレンダーにおいて、
前記一まとまりとなっている部分と前記用紙の他の部分の間にミシン目が入っていて、切り取り可能とされ、かつ、前記一まとまりとなっている部分の所定部分には、切り取った後に前記一まとまりとなっている部分を綴じ込むための２つのパンチ穴の位置を示す表示及び／又は前記２つのパンチ穴の中間位置を示す表示が印刷されていることを特徴とするカレンダーが提供される。
【００１０】
また、前記一まとまりとなっている部分がＡ４サイズであることは、本考案の好ましい態様である。
【００１１】
また、前記一まとまりとなっている部分が３個、順次前記ミシン目を介して連続して１枚の用紙に印刷され、３ヶ月分のカレンダーを表示することは、本考案の好ましい態様である。
【００１２】
また、前記用紙が５枚重ねて綴じられ、１枚目の用紙には、１月から３月が表示され、２枚目の用紙には、４月から６月が表示され、３枚目の用紙には、７月から９月が表示され、４枚目の用紙には、１０月から１２月が表示され、５枚目の用紙には、翌年の１月から３月が表示されていることは、本考案の好ましい態様である。
【考案の効果】
【００１３】
本考案によれば、カレンダーの用紙中の使用済みの１ヶ月を表示する部分を用紙の他の部分から切り離すに際し、ミシン目があるので、容易に切り離せ、かつ使用済みで切り取ったカレンダーの用紙の１ヶ月相当部分を順次ファイルに綴じ込むに際し、あらかじめパンチ穴があいているか、あるいはミシン目によりパンチ穴の輪郭が形成されていて、ファイルする際にファイルのパンチ穴貫通用突起部の先端に押し当てるだけで、用意にパンチ穴が形成されるか、さらに、あるいはパンチ穴の位置を示す表示あるいは２つのパンチ穴の中央位置を示す表示の一方又は双方が印刷されていることにより、容易にパンチ穴を形成することができる。したがって、本考案のカレンダーによれば、切り取った部分を容易にファイルに綴じ込むことが可能となり、カレンダー内の印刷された各種情報に加えて、ユーザが書き込んだメモも含めて保存することができ、翌年以降の計画立案などに、極めて有効である。
【図面の簡単な説明】
【００１４】
【図１】本考案に係るカレンダーの好ましい実施の形態における１月、２月、３月の３ヶ月分が印刷された用紙を示す平面図である。
【図２】図１に示された用紙の部分拡大図である。
【考案を実施するための形態】
【００１５】
以下、図面を参照して本考案の好ましい実施の形態について説明する。図１は本考案に係るカレンダーの好ましい実施の形態の一部を示す平面図である。このカレンダーは、３ヶ月を１枚の用紙に印刷し、合計５枚の用紙が表紙の下に重ねて綴じ込まれているものである。すなわち、表紙の下の１枚目の用紙には、１月から３月が表示され、２枚目の用紙には、４月から６月が表示され、３枚目の用紙には、７月から９月が表示され、４枚目の用紙には、１０月から１２月が表示され、５枚目の用紙には、翌年の１月から３月が表示されている。このように合計１５ヶ月分のカレンダーを構成することにより、年や年度の切り替わり時の使い勝手が良くなる。なお、本考案はこれに限定されるものでなく、少なくとも１ヶ月分あるいはそれ以上の複数月分が１枚の用紙に記載されたカレンダーに適用可能である。
【００１６】
図１に示すカレンダーは、図示省略の表紙の下に１月から３月までをそれぞれ示す各月の構成部分がＡ４サイズで構成され、１月が一番下に、その上に２月が、さらにその上に３月の構成部分が１枚の用紙１０に印刷されている。各月は、複数の横方向の行から構成されている点は、一般によく見られるカレンダーの構成と同様である。すなわち、図１に示すように、１ヶ月を示す部分は、１週間を横１行で表し、月によって４行から６行で１ヶ月を表す構成のものである。すなわち、日を示す数字が１週間分横に並んで１行を構成し、かかる行が複数順次下方に配列され、全体として複数行からなる１ヶ月分のカレンダー、すなわち１ヶ月構成部分１２Ａ、１２Ｂ、１２Ｃが表示される。なお、この実施の形態では、日曜日から土曜日までを横１列に配しているが、ビジネス用カレンダーでは、月曜日から日曜日までを横１列に配することもできる。
【００１７】
１ヶ月分構成部分１２Ａ、１２Ｂ、１２Ｃは、前述のようにＡ４サイズで構成され、この実施の形態では、Ａ４の用紙を横長にした状態に相当する。各月の構成部分の上部余白とその上の用紙の部分との間には、それぞれミシン目１６Ａ、１６Ｂ、１６Ｃが入れられていて、必要に応じて切り離し可能となっている。図２は、図１中の１月の表示部分１２Ａと２月の表示部分１２Ｂの間に設けられたミシン目１６Ａ近傍を拡大して示す拡大平面図である。図２に示されるように、ミシン目１６Ａの下方、すなわち、１月の構成部分１２Ａの上部余白部分には、パンチ穴１８Ａ、１８Ｂの輪郭がミシン目として設けられている。また、パンチ穴１８Ａ、１８Ｂの輪郭の中間位置を示す表示２０がパンチ穴１８Ａ、１８Ｂの輪郭の中間位置近傍に印刷されている。なお、１月の構成部分１２Ａの下方には、白紙となっている横長部分１４が設けられているが、これは、実際には広告などを印刷する部分として使用される。この横長部分１４と１月の構成部分１２Ａの間にもミシン目１６Ｄが設けられている。
【００１８】
上記実施の形態では、各１ヶ月構成部分１２Ａ、１２Ｂ、１２Ｃがミシン目１６Ａ〜１６Ｄにより隣接部分から切り離し可能とされているので、各１ヶ月分構成部分を容易に切り取ることが可能である。いま、図１の状態で、１月が終了したとすると、ユーザは、まず、ミシン目１６Ａで、１月の構成部分１２Ａと、その下の横長部分１４（広告印刷部）を一緒に切り離し、その後、横長部分１４をミシン目１６Ｄで切り離すことができる。なお、この切り離しの順番は逆でもよいことは言うまでもない。こうして、１月の構成部分１２Ａを切り取り、図示省略のファイルに綴じ込むに際しては、ファイルのスティックファスナー、あるいは足と呼ばれる通常平坦で細い棒状の２本の突起部の先端にパンチ穴１８Ａ、１８Ｂの輪郭がミシン目として設けられている部分を押し当てると、その部分が突起部先端により押し上げられて、ミシン目が切れ、パンチ穴１８Ａ、１８Ｂが形成されるのである。
【００１９】
なお、上記実施の形態とは異なり、パンチ穴１８Ａ、１８Ｂを実際に設けておく、すなわちパンチ穴１８Ａ、１８Ｂの輪郭がミシン目として設けられているのではなく、これらの部分をあらかじめ貫通穴としておくことは、１つの好ましい態様である。この場合、ファイルに綴じ込むに際し前述のように、２本の突起部の先端にパンチ穴１８Ａ、１８Ｂの輪郭がミシン目として設けられている部分を押し当てる必要がなく、あらかじめ設けられたパンチ穴１８Ａ、１８Ｂに突起部先端を挿入すればよいのである。
【００２０】
なお、他の変形例として、パンチ穴１８Ａ、１８Ｂの輪郭を印刷しておき、ユーザが２穴パンチを用いて、印刷された輪郭部分に自分で穴を開けることもできる。さらに、それに加えて、図２に示すように、パンチ穴１８Ａ、１８Ｂの輪郭の中間位置を示す表示２０を、この中間位置近傍に印刷しておくことも好ましい態様である。もっとも、中間位置のみを印刷しておけば、パンチ穴１８Ａ、１８Ｂの輪郭を印刷しておかなくとも、ほぼ正確にパンチ位置は特定されるので、パンチ穴１８Ａ、１８Ｂの輪郭の印刷を省略することもできる。
【産業上の利用可能性】
【００２１】
以上説明したように本考案では、切り取る１ヶ月分の構成部分を用紙の他の部分から切り離すことを容易にするミシン目が設けられ、さらにパンチ穴があらかじめ設けられているか、あるいは、容易にパンチ穴を設けることができるようにミシン目を入れたり、あるいはパンチ穴自体及び／又はその中間位置を示す表示を設けたので、切り取った部分をファイルに綴じ込むに際し、その動作が極めて容易となるので、翌年以降の計画立案に極めて便利である。また、カレンダーを業務日誌的に用いて種々の仕事関連事項を記入している場合は、業務日誌の保存に有益である。したがって、本考案は、１週間を一まとまりとして表示して用紙に印刷したあらゆる形式のカレンダーに利用可能であり、カレンダー製作・販売の産業や、カレンダー印刷の産業において好適に利用可能である。
【符号の説明】
【００２２】
１０  カレンダーを構成する複数の用紙の１枚
１２Ａ、１２Ｂ、１２Ｃ  １ヶ月分構成部分
１４  横長部分（広告印刷部）
１６Ａ、１６Ｂ、１６Ｃ、１６Ｄ  ミシン目
１８Ａ、１８Ｂ  パンチ穴（パンチ穴の輪郭部のミシン目）
２０  中間位置を示す表示
【図１】
0003156539.tif 000003
【図２】
0003156539.tif 000004